(57)【要約】      （修正有）【課題】本考案は、男性が便座に座って排尿する時に、便座と便器の隙間から尿が飛び散ることにより、衣服や下着を汚すことや、便器をつたって外側に漏れて汚れる床の、掃除の時間的、精神的負担を削減する【解決手段】本考案は、適宜素材によって形成された便器ｂの上に、適宜素材にて形成された突起を有する便座ａを設置することにより、隙間から尿が飛び散ることや、便器をつたって漏れるのを防ぐことによって、衣服や下着を汚すことが無く、床も汚れないことで、掃除の時間的・精神的負担が削減されることに優れている。【選択図】図１
0003143743.tif 000002
【実用新案登録請求の範囲】
【請求項１】
適宜素材によって形成された洋式便座と洋式便器の隙間から、尿が飛び散ったり漏れたりしないように、突起を有するところを特徴とする便座
【考案の詳細な説明】
【技術分野】
【０００１】本考案は、男性が便座に座って排尿するときに、便座と便器の隙間から尿が飛び散ったり漏れたりしないように、突起を設けた便座に関するものである
【背景技術】
【０００２】男性が便座に座って排尿する時に、便座と便器の隙間から尿が飛び散ってしまわないようにするには、男性器を下方に向くように押さえなければならなかった。
【考案の開示】
【考案が解決しようとする課題】
【０００３】既存の便座は、便座と便器が接触する部分に適宜素材で形成されたクッション材（図２の１及び１’）が付いているため、隙間が開いているものが多く、男性が座って排尿をすると、便座と便器の隙間から尿が飛び散り、衣服や下着を濡らす事がある。また便器を伝って外側に漏れ、床を汚してしまうこともあり、掃除が大変で、時間的、精神的にも負担である。従って、便座下面に飛び散り防止の突起を設けることによって、男性器を下方に向くように押さえなくても、便器と便座の隙間から尿が飛び散ることや、便器を伝って外側に漏れることを防ぎ、前述の欠点を解決しようとするものである
【課題を解決するための手段】
【０００４】本考案は、便座下面に、尿が飛び散らないように、飛び散り防止用の突起を設けていることによって問題点を解決している。
【考案の効果】
【０００５】上述のように、本考案の飛び散り防止洋式便座は、便座下面に突起を設けることによって尿が飛び散らず、衣服や下着を汚さないことはもちろん、便器をつたって外側に漏れて床を汚すことを防ぐので、日常の掃除の時間的、精神的負担を削減できる
【考案を実施するための最良の形態】
【０００６】便座下面に設けた突起は、尿が突起に当たり便座の上から飛び出たり、体に跳ね返らないように、適宜角度を付け、突起に付着した尿が便器に自然にたれ落ちる形態にする。
【実施例】
【０００７】以下添付図面に従って一実施例を説明する。
図１は、適宜素材によって形成され、尿が飛び散ったり漏れたりしないようにすることを目的とする突起１を下面に設けた洋式便座ａを、適宜素材で形成された洋式便器ｂの上に設置した時の、横からの断面図である。ｂの上にａを設置することにより、１がａとｂとの間を遮ぎっている。
【図面の簡単な説明】
【０００８】
【図１】「本考案の一実施例を示す便座を便器上に設置した状態の横断面図である」
【図２】「本考案の便座の下面の平面図である」
【図３】「本考案の便座の前方から見た平面図である」
【図４】「本考案の便座が有する突起の縦平面図である」
【図５−Ａ】「本考案の便座が有する図４におけるＡ−Ａ線断面図である」
【図５−Ｂ】「同図４におけるＢ−Ｂ線断面図である」
【図６】「本考案の便座が有する突起を下から見た図である」
【符号の説明】
【０００９】  ａ  適宜素材によって形成された突起を有する便座
ｂ  適宜素材によって形成された洋式便器
ｃ  適宜素材によって形成された突起
１．１’  適宜素材にて形成されたクッション材
【図１】
0003143743.tif 000003
【図２】
0003143743.tif 000004
【図３】
0003143743.tif 000005
【図４】
0003143743.tif 000006
【図５】
0003143743.tif 000007
【図６】
0003143743.tif 000008
【手続補正書】
【提出日】平成20年1月8日(2008.1.8)
【手続補正１】
【補正対象書類名】実用新案登録請求の範囲
【補正対象項目名】全文
【補正方法】変更
【補正の内容】
【実用新案登録請求の範囲】
【請求項１】
適宜素材によって形成された洋式便座と洋式便器の隙間から、尿が飛び散ったり漏れたりしないように防止 するところを特徴とする器具
【請求項２】
請求項１の器具を一体形成し、備えた洋式便座
【手続補正２】
【補正対象書類名】明細書
【補正対象項目名】全文
【補正方法】変更
【補正の内容】
【考案の詳細な説明】
【技術分野】
【０００１】本考案は、男性が便座に座って排尿するときに、便座と便器の隙間から尿が飛び散ったり漏れたりしないように、取り付ける器具及びその器具を一体形成し備えた    便座に関するものである
【背景技術】
【０００２】男性が便座に座って排尿する時に、便座と便器の隙間から尿が飛び散ってしまわないようにするには、男性器を下方に向くように押さえなければならなかった。
【考案の開示】
【考案が解決しようとする課題】
【０００３】既存の便座は、便座と便器が接触する部分に適宜素材で形成されたクッション材（図２の１及び１’）が付いているため、隙間が開いているものが多く、男性が座って排尿をすると、便座と便器の隙間から尿が飛び散り、衣服や下着を濡らす事がある。
また便器を伝って外側に漏れ、床を汚してしまうこともあり、掃除が大変で、時間的、精神的にも負担である。従って、便座下面に飛び散り防止器具を取り付け、又は一体形成し備える  ことによって、男性器を下方に向くように押さえなくても、便器と便座の隙間から尿が飛び散ることや、便器を伝って外側に漏れることを防ぎ、前述の欠点を解決しようとするものである
【課題を解決するための手段】
【０００４】本考案は、便座下面に、尿が飛び散らないように、飛び散り防止 の  器具を取り付けまたは一体形成し備える  ことによって問題点を解決している。
【考案の効果】
【０００５】上述のように、本考案の飛び散り防止器具、及びその器具を一体形成し備えた洋式便座は、便座下面に  器具を取り付け、又は備える  ことによって尿が飛び散らず、衣服や下着を汚さないことはもちろん、便器をつたって外側に漏れて床を汚すことを防ぐので、日常の掃除の時間的、精神的負担を削減できる
【考案を実施するための最良の形態】
【０００６】便座下面に  取り付け又は一体形成し備えた、飛び散り防止器具は、尿が突起に当たり便座の上から飛び出たり、体に跳ね返らないように、適宜角度を付け、器具に付着した尿が便器に自然にたれ落ちる形態にする。
【実施例】
【０００７】以下添付図面に従って一実施例を説明する。
図１は、適宜素材によって形成され、尿が飛び散ったり漏れたりしないようにすることを目的とする器具１を下面に取り付け、又は一体形成し備えた洋式便座ａを、適宜素材で形成された洋式便器ｂの上に設置した時の、横からの断面図である。ｂの上にａを設置することにより、１がａとｂとの間を遮ぎっている。
【図面の簡単な説明】
【０００８】
【図１】「本考案の器具を便座に取り付け又は一体形成し備えた時に、その一実施例を示す、 便器上に設置した状態の横断面図である」
【図２】「本考案の器具を便座に取り付け又は一体形成し備えた時の便座の下面の平面図である」
【図３】「本考案の器具を便座に取り付け又は一体形成し備えた時に便座の前方から見た平面図である」
【図４】「本考案の器具  の縦平面図である」
【図５−Ａ】「本考案の器具のＡ−Ａ線断面図である」
【図５−Ｂ】「本考案の器具のＢ−Ｂ線断面図である」
【図６】「本考案のる器具を下から見た図である」
【符号の説明】
【０００９】  ａ  適宜素材によって形成された本考案の器具を取り付け又は一体形成し備えた便座
ｂ  適宜素材によって形成された洋式便器
ｃ  適宜素材によって形成された器具
１．１’適宜素材にて形成されたクッション材
【手続補正書】
【提出日】平成20年5月27日(2008.5.27)
【手続補正１】
【補正対象書類名】実用新案登録請求の範囲
【補正対象項目名】全文
【補正方法】変更
【補正の内容】
【実用新案登録請求の範囲】
【請求項１】
洋式便座に座って排尿する際、洋式便座と洋式便器との隙間から、尿が飛び散ったり便器外に漏れないようにする為に角度をつけたところを特徴とする、洋式便座に取り付ける、適宜素材にて形成された板状の器具
【請求項２】
請求項１の器具を一体形成し、備えた洋式便座
【手続補正２】
【補正対象書類名】図面
【補正対象項目名】全図
【補正方法】変更
【補正の内容】
【図１】
0003143743.tif 000009
【図２】
0003143743.tif 000010
【図３】
0003143743.tif 000011
【図４】
0003143743.tif 000012
【図５】
0003143743.tif 000013
【図６】
0003143743.tif 000014
【手続補正３】
【補正対象書類名】明細書
【補正対象項目名】全文
【補正方法】変更
【補正の内容】
【考案の詳細な説明】
【技術分野】
【０００１】  本考案は、男性が便座に座って排尿するときに、便座と便器の隙間から尿が飛び散ったり漏れたりしないように、取り付ける器具及びその器具を一体形成し備えた便座に関するものである
【背景技術】
【０００２】  男性が便座に座って排尿する時に、便座と便器の隙間から尿が飛び散ってしまわないようにするには、男性器を下方に向くように押さえなければならなかった。
【考案の開示】
【考案が解決しようとする課題】
【０００３】  既存の便座は、便座と便器が接触する部分に適宜素材で形成されたクッション材（図２の１及び１’）が付いているため、隙間が開いているものが多く、男性が座って排尿をすると、便座と便器の隙間から尿が飛び散り、衣服や下着を濡らす事がある。  また便器を伝って外側に漏れ、床を汚してしまうこともあり、掃除が大変で、時間的、精神的にも負担である。従って、便座下面に  本考案の飛び散り防止器具を取り付け、又は一体形成し備えることによって、男性器を下方に向くように押さえなくても、便器と便座の隙間から尿が飛び散ることや、便器を伝って外側に漏れることを防ぎ、前述の欠点を解決しようとするものである
【課題を解決するための手段】
【０００４】  本考案は、便座下面に、尿が飛び散らないように、本考案の飛び散り防止の器具を取り付けまたは一体形成し備えることによって問題点を解決している。
【考案の効果】
【０００５】  上述のように、本考案の飛び散り防止器具、及びその器具を一体形成し備えた洋式便座は、便座下面に器具を取り付け、又は備えることによって尿が飛び散らず、衣服や下着を汚さないことはもちろん、便器をつたって外側に漏れて床を汚すことを防ぐので、日常の掃除の時間的、精神的負担を削減できる
【考案を実施するための最良の形態】
【０００６】  便座下面に取り付け又は一体形成し備えた、飛び散り防止器具は、尿が器具に当たり便座の上から飛び出たり、体に跳ね返らないように、適宜角度を付け、器具に付着した尿が便器に自然にたれ落ちる形態にする。
【実施例】
【０００７】  以下添付図面に従って一実施例を説明する。
図１は、適宜素材によって形成され、尿が飛び散ったり漏れたりしないようにすることを目的とする  本考案の器具ａを  、便座下面に  両面テープ等適宜接着素材にて取り付け、又は一体形成し備えた洋式便座ｃを、適宜素材で形成された洋式便器ｂの上に設置した時の、横からの断面図である。ｂの上にｃを設置することにより、ａがｃとｂとの間を遮ぎっている。
【図面の簡単な説明】
【０００８】
【図１】「本考案の器具  ａを便座  ｃに取り付け又は一体形成し備えた時の、＿一実施例を示す、便器  ｂ上に設置した状態の縦断面図である」
【図２】「本考案の器具  ａを便座  ｃに取り付け又は一体形成し備えた時の便座の下面の平面図である」
【図３】「本考案の器具  ａを便座  ｃに取り付け又は一体形成し備えた時に便座  ｃの前方から見た平面図である」
【図４】「本考案の器具  ａの縦平面図である」
【図５−Ａ】「本考案の器具  ａのＡ−Ａ線断面図である」
【図５−Ｂ】「本考案の器具  ａのＢ−Ｂ線断面図である」
【図６】「本考案の＿器具  ａを斜め上から見た図である。黒塗り部分は両面テープ等適宜接着素材をつける場合の場所、そして一体形成した時に一体化させる場所を示す」
【符号の説明】
【０００９】  ａ  適宜素材によって形成された本考案の器具
ｂ  適宜素材によって形成された洋式便器
ｃ  適宜素材によって形成された＿便座
１．１’  適宜素材にて形成されたクッション材